(57)【要約】【課題】自動クランプによるレンズ芯出しのためのクランプ力とクランプ速度を互いに独立して制御することで、レンズ芯出しの高精度化と高効率化の双方を実現する。【解決手段】一対のベルホルダ１、２によってレンズＲ１を挟持する自動クランプ装置において、クランプ力を与えるためのシリンダー５０と、可動軸側ベルホルダ２を進退させるためのボールネジ５７および駆動モータ６０等からなる軸方向駆動手段を互いに独立して制御自在に構成し、レンズ芯出しのための低圧調整により芯出し精度を向上させ、クランプ時の高速、低速の切り換えによってサイクルタイムを短縮する。【選択図】      図１
2004181568.tif 000002
【特許請求の範囲】
【請求項１】
同一軸上で互いに対向して配設され、レンズの両面に当接自在である一対のレンズ保持具と、一方のレンズ保持具を他方のレンズ保持具に向かって進退移動させるための軸方向駆動手段と、前記一対のレンズ保持具の間に前記レンズを挟持するためのレンズ挟持力を発生させる加圧手段と、両レンズ保持具の間に前記レンズを低圧挟持してレンズ芯出しを行うために前記加圧手段を低圧制御自在である加圧制御手段と、前記軸方向駆動手段による前記一方のレンズ保持具の移動速度を制御するための速度制御手段とを備えており、前記軸方向駆動手段による前進ストロークの途中で、前記一方のレンズ保持具の移動速度を前記速度制御手段によって低減するように構成されていることを特徴とするレンズ芯出しクランプ装置。
【請求項２】
加圧制御手段が、レンズ芯出し時のレンズ挟持力を略３５Ｎ以下の低圧に制御することを特徴とする請求項１記載のレンズ芯出しクランプ装置。
【請求項３】
加圧制御手段が、レンズ芯出し終了後に、レンズ挟持力を略２００Ｎ以上の高圧に切り換えることを特徴とする請求項１または２記載のレンズ芯出しクランプ装置。
【請求項４】
一方のレンズ保持具を芯出し位置から後退させる後退ストロークでは、軸方向駆動手段による移動速度を任意の高速に設定自在であることを特徴とする請求項１ないし３いずれか１項記載のレンズ芯出しクランプ装置。
【請求項５】
前進ストロークの途中で一方のレンズ保持具の移動速度を低減する位置を前記前進ストロークの任意のポイントに設定自在であることを特徴とする請求項１ないし４いずれか１項記載のレンズ芯出しクランプ装置。
【請求項６】
前進ストロークにおいて、レンズを挟持するときの一方のレンズ保持具の移動速度を５ｍｍ／ｓｅｃ以下に低減することを特徴とする請求項１ないし５いずれか１項記載のレンズ芯出しクランプ装置。
【請求項７】
加圧手段が、両レンズ保持具と同一軸上で一方のレンズ保持具を加圧し、レンズ挟持力を発生するように構成されていることを特徴とする請求項１ないし６いずれか１項記載のレンズ芯出しクランプ装置。
【請求項８】
加圧手段が、一方のレンズ保持具を加圧するためのシリンダーを有することを特徴とする請求項１ないし７いずれか１項記載のレンズ芯出しクランプ装置。
【請求項９】
軸方向駆動手段が、駆動モータと、該駆動モータの駆動によって一方のレンズ保持具とともに加圧手段を進退移動させるためのボールネジおよび移動伝達部材を備えていることを特徴とする請求項１ないし８いずれか１項記載のレンズ芯出しクランプ装置。
【請求項１０】
請求項１ないし９いずれか１項記載のレンズ芯出しクランプ装置と、前記レンズ芯出しクランプ装置によって保持されたレンズの外周部を研削する研削手段を有することを特徴とするレンズ芯取り機。
【発明の詳細な説明】
【０００１】
【発明の属する技術分野】
本発明は、レンズ等の光学素子の外径部を研削するレンズの芯取り加工を行うためのレンズ芯取り機に搭載されるレンズ芯出しクランプ装置およびレンズ芯取り機に関するものである。
【０００２】
【従来の技術】
カメラやビデオ等に使用されるレンズ等の光学素子の中心と光軸を同一軸上に合わせて保持したうえで、外周部を研削する芯取り加工機は、図４に示すように、ベルホルダ１０１、１０２によって保持したレンズＲ０の光軸を中心に回転させるレンズ芯出しクランプ装置と、回転しているレンズＲ０の外周部に図示していない砥石を当接して研削する研削装置から構成されている。このうちレンズ芯出しクランプ装置は、軸受１１２と軸受１２２にレンズ軸１１１と可動軸１２１がそれぞれ回転自在に支持され、かつ同一軸線上にそれぞれの回転中心軸を一致させたうえで対向して配設されている。
【０００３】
レンズ軸１１１は、その中心に中空部１１１ａを設けニップル１１１ｂによって図示しない真空源に接続され、レンズ軸１１１側に取り付けられたベルホルダ１０１のレンズ当接部１０１ａにレンズＲ０を吸着保持するための真空吸着力を発生させる。可動軸１２１は、レンズ軸１１１側へ接近したり反対側へ離反したりできるように軸方向に移動自在に構成されている。レンズ軸１１１と可動軸１２１の対向する側の端部には、レンズＲ０をクランプして芯出しを行うための、レンズを保持する側に開いて先端をエッジ状に成型したカップ状のベルホルダ１０１、１０２をそれぞれ取り付け、反対側には、レンズ軸回転ギア１４１と可動軸回転ギア１４２をそれぞれ設けてある。
【０００４】
両ベルホルダ１０１、１０２を回転させる第一回転駆動部１０３は、モータ１３０の駆動を電磁クラッチ１３０ａの作動により、レンズ軸側ベルホルダ１０１のレンズ軸１１１に伝達する回転軸１３４を介して、レンズ軸伝達ギア１３５およびレンズ軸回転ギア１４１と、可動軸側ベルホルダ１０２の可動軸１２１に伝達する可動軸伝達ギア１３３および可動軸回転ギア１４２に連結自在になっている。第一回転駆動部１０３で各ベルホルダ１０１、１０２を低速回転で任意に制御され、図示しない砥石によりレンズＲ０を芯取り加工される。
【０００５】
両ベルホルダ１０１、１０２を回転させる第二回転駆動部１０７は、モータ１７０の駆動を電磁クラッチ１７０ａの作動により、レンズ軸側ベルホルダ１０１のレンズ軸１１１に伝達するレンズ軸伝達ギア１３５およびレンズ軸回転ギア１４１と、回転軸１３４を介して可動軸側ベルホルダ１０２の可動軸１２１に伝達する可動軸伝達ギア１３３および可動軸回転ギア１４２に連結自在である。第二回転駆動部１０７により各ベルホルダ１０１、１０２を高速回転で任意に制御され、高速回転によるレンズの自動芯出しを行う。
【０００６】
可動軸１２１には、ベルホルダ１０２が取り付けられる側と反対側の先端に、レンズ軸１１１と可動軸１２１の回転中心軸と一致した軸線上に中心軸を合わせて可動軸駆動部１０５のシリンダー１０５ａを、ピストン１５１のロッド１５２の突出、後退動を可動軸１２１に伝える連結棒１５３を介して配設されている。シリンダー１０５ａの両端には、軸を突出、後退させるための流体の給排気孔１５４が設けられ、図示していない流体配管および、加圧方向切換弁によりロッド１５２の突出、後退駆動を行う。この時の流体圧力は、図示していない低圧、高圧切換弁および、それぞれの圧力が調整できる調整設定機構により調整切換可能としている。そして必要流体圧力に調整設定した後、これらの機構を介して可動軸１２１を軸方向に前進（レンズ軸側へ移動）させてレンズＲ０を挟持させると同時に、シリンダー１０５ａの流体圧力により、中心軸方向からベルホルダ１０２を介してレンズＲ０にクランプ力を加える。可動軸１２１の前進からレンズの芯出し工程までは、流体圧力を調整設定機構により低圧に設定した低圧レギュレータと低圧切換弁により作動し、レンズＲ０の外周部等の研削を行ういわゆる芯取り加工時は、流体圧力を調整設定機構により高圧に設定した高圧レギュレータと高圧切換弁の作動により、レンズＲ０を強硬に保持する。
【０００７】
上記レンズ芯取り機のレンズ芯出しクランプ装置によりレンズＲ０をクランプする時は、まずレンズ軸１１１のベルホルダ１０１にレンズＲ０を吸着等で保持し、レンズ軸１１１および可動軸１２１をともに回転させ、同時にレンズクランプで問題が出ないレベルの低圧に設定し、その圧力でシリンダー１０５ａを駆動させると、該シリンダー１０５ａと接続されている可動軸１２１を軸方向のレンズ軸側に圧力に応じた一定の速度で前記回転を伴いながら前進し、レンズ軸側ベルホルダ１０１に保持されたレンズＲ０に可動軸側ベルホルダ１０２が当接しさらにレンズＲ０を押圧する。そしてレンズ軸側ベルホルダ１０１と可動軸側ベルホルダ１０２との間にレンズＲ０を挟持する際に、レンズＲ０がその球面に沿って滑って両ベルホルダ１０１、１０２の回転中心軸とレンズ光軸とが一致する作用を利用してレンズＲ０の芯出しを行い、この状態から流体圧力を高圧に切り換えてクランプ力を強くした状態でレンズＲ０を強固に保持して砥石による芯取り加工を行う。
【０００８】
これに対して、低圧、低速のクランプ装置を設けたレンズの芯取り機が考案されている。例えば、特開昭５８−１６００５１号公報に開示された構成は、図５に示すように、図示していない装置本体に固設された下軸側のレンズ軸１１１と、装置に昇降自在に装着された上軸側の可動軸１２１が、各軸の回転中心に軸芯を合わせて各軸対向した位置に配設されている。この装置は、上軸側の可動軸１２１を受ける軸受１２２に軸方向に固設されたラック２６４と、装置本体に軸着されたピニオン２６３と、装置本体に固設されたシリンダー２６１と、前記シリンダー２６１のロッド端に装着されたラック２６２を有し、ラック２６４、２６２とピニオン２６３とが噛合されて、シリンダー２６１を作動させることにより上軸側の軸受１２２を昇降させることにより、これに配設され連動するベルホルダ１０２を昇降させて、下軸側のレンズ軸１１１に取り付けてあるベルホルダ１０１上に載置されたレンズＲ０を挟持する構造になっている。
【０００９】
レンズ軸１１１、可動軸１２１はそれぞれ、ギア１４１、１４２とこれに接続されたそれぞれの伝達ギア１３５、１３３と、該伝達ギア１３５、１３３とを連結している回転軸１３４と、伝達ギア１３３と回転軸１３４との連接部に介装し、加工回転時は回転力をレンズ軸１１１、可動軸１２１の両方に伝達して同一回転させ、逆回転時は上軸側の可動軸１２１のみ回転させる作用をさせる一方向クラッチ１３６と、伝達ギア１３３の回転軸１３０ａに固着されたギア１３２と、これと接続しモータ１３０の回転軸に固着されたモータギア１３１とモータ１３０とを介して回転駆動をする。シリンダー２６１は、図示しない油圧回路に減圧弁、切換バルブ、流量調整弁等が介装され、シリンダー２６１に与えられる作動油の圧力を高低２段に切り換えられる様になっており、またシリンダー２６１の作動速度を必要に応じて調整できる構造となっている。
【００１０】
上記クランプ装置でレンズＲ０をクランプするには、モータ１３０を逆回転させると同時にシリンダー２６１に低圧の油圧を供給し、下軸側のベルホルダ１０１に吸着され停止しているレンズＲ０に向かって上軸側の可動軸のみ回転しながら下降してゆく。すると可動軸側ベルホルダ１０２とレンズＲ０の接触点に作用する接線力等を利用して、各ベルホルダ１０１、１０２に対してレンズＲ０を滑らせることで芯出しを行う。芯が出た後モータ１３０を停止させ油圧回路が切り換えられてシリンダー２６１に高圧の油圧力が供給されて、レンズＲ０を強固に保持して砥石で芯取り加工が行えるように構成されている。
【００１１】
また、特開平０５−１９２８５５号公報に開示されたものは、図６に示すように、回転軸中心が同一軸上で対向に配設されたレンズ軸１１１と可動軸１２１において、まず可動軸側は可動軸１２１の外周に輪帯状ラック３６４を設け、輪帯状ラック３６４にはピニオン３６３が咬合し、ピニオン３６３にはラック３６２が咬合して設けられ、ラック３６２はシリンダー３６１と連結されており、シリンダー３６１を進退させることで上記構成を介して可動軸１２１をレンズ軸１１１に対し同一軸線上で接近、離反させる。レンズ軸側の軸受１１２は、直線ガイド３８１上に載置されレンズ軸１１１が、軸受１１２とともに可動軸１２１に対し接近、離反するように構成されている。
【００１２】
軸受１１２の外側には軸受部の移動部材３８２が固設されている。この移動部材３８２には、軸受１１２とともにレンズ軸１１１を可動軸１２１の方向に移動させるための接近用シリンダー３８３と、可動軸１２１から遠ざける離反用シリンダー３８４が連結されており、両シリンダー３８３、３８４のシリンダー圧差により、レンズ軸１１１を可動軸１２１方向に移動し、かつ、圧力差でレンズＲ０をクランプし得るように構成されている。接近用シリンダー３８３と離反用シリンダー３８４は、ストローク内径が同じで移動部材３８２を挟んで設けられている。
【００１３】
上記クランプ装置でレンズＲ０をクランプするには、レンズ軸側のベルホルダ１０１にレンズＲ０を吸着保持し、可動軸１２１を、シリンダー３６１を駆動させラック３６２、３６４と両ラックに挟まれたピニオン３６３を介してレンズ軸１１１の方向に移動させ、可動軸側ベルホルダ１０２をレンズＲ０に接触する直前のクランプ位置まで移動し、可動軸１２１が移動しないように保持する。
【００１４】
次に接近用シリンダー３８３を駆動して軸受１１２を可動軸１２１の方向に押すとともに、離反用シリンダー３８４を駆動して軸受１１２を可動軸１２１から離れる方向に押す。この時接近用シリンダー３８３に供給する流体の圧力を離反用シリンダー３８４に供給する流体の圧力より僅かに高めることで、両流体の圧力差で低圧が作用する。
【００１５】
これにより、直線ガイド３８１上に載置された軸受１１２が低圧で可動軸１２１の方向に移動し、ベルホルダ１０１、１０２でレンズＲ０を低圧クランプし、芯出しを行いその後芯取り加工を行う。
【００１６】
【発明が解決しようとする課題】
しかしながら、上記の従来技術によれば、ベルホルダでレンズを挟持する過程で、レンズにベルホルダが当接する時のクランプ力やこの時の接触速度が大きいと、ベルホルダ上を滑らせてレンズの芯を出させる作用が弱まり、レンズ形状によっては芯出しができない場合があり、さらには、前記クランプ力と接触速度の大きさにより、ベルホルダのレンズ接触部がレンズに損傷を与えてしまうおそれがあった。
【００１７】
一方、クランプ装置の駆動はシリンダーへ供給される流体の圧力だけで行うものであるため、クランプ力とクランプ時の接触速度は一体にしか制御できず、クランプ力を弱くすると速度も遅くなってしまい、レンズをクランプする可動軸の後退位置からクランプ位置までのストロークが長いと、加工に費やすサイクルタイムが長くなってしまう。
【００１８】
さらには、クランプ力を弱めるためにはシリンダーの流体圧力を弱めるが、シリンダー圧が弱くなりすぎると可動軸とその軸受との間の摺動抵抗等により可動軸が動作しなくなるため、クランプ力等を所望のレベルの低圧、低速に必ずしも設定できないという制約があった。
【００１９】
また、前述の特開昭５８−１６００５１号公報に開示されたクランプ装置は、ベルホルダの挟持力のみで芯出しの難しい形状のレンズでも自動芯出しが可能となるが、クランプを低圧、低速に作動させるクランプ機構がシリンダーとこれを動かす油圧で構成されているため、上記と同様の理由により低圧、低速側の調整に限界があり、かつ、低速によるサイクルタイムが長いことも問題である。
【００２０】
さらに、クランプ時に可動軸側のベルホルダのみ回転させて、回転していないレンズにベルホルダを当接させているので、ベルホルダがレンズの当接部を回転方向に削り、キズ等が発生するという問題もある。
【００２１】
また、前述の特開平０５−１９２８５５号公報に開示されたクランプ装置は、レンズに合わせてクランプ圧が低減できるクランプ手段を設けたことで、安定したクランプができレンズにキズを入れることもなく高精度に芯取り加工ができるが、低圧クランプ機構をレンズ軸側に持たせたため、レンズ軸、可動軸ともに軸方向に動く構造にしなければならないのと、各軸の軸方向駆動にシリンダーを用いており、しかも低圧動作を対向した２つのシリンダーの押し合う力の差で行うため、シリンダー数が多く、構造が複雑で、調整や管理が煩雑になるのが問題である。
【００２２】
さらに、クランプに必要な加圧部がレンズ軸、可動軸の各回転中心軸上には無く、この軸線と平行した隣接部に設けて横から圧力を作用させているが、この構造では各軸に対してモーメントがかかり、各軸が微妙に撓んだりすることで、クランプ時にレンズのベルホルダと当接する輪帯上に力が均一にかからなくなり、レンズの芯が出難くなったり力が集中する部分にキズが生じたりする問題がある。
【００２３】
本発明は上記従来の技術の有する問題点に鑑みてなされたものであって、レンズのクランプに関わるクランプ力とクランプ速度を、個別に独立して調整ができる構成とすることで、低クランプ力、低速での効率的なクランプによる高精度で安定したレンズ芯出しを可能にしたレンズ芯出しクランプ装置およびレンズ芯取り機を提供することを目的とするものである。
【００２４】
また、本発明の他の目的は、レンズ芯出しおよびレンズ芯取り加工に必要なサイクルタイムを大幅に短縮し、加工コストの低減に貢献できるレンズ芯出しクランプ装置およびレンズ芯取り機を提供することである。
【００２５】
【課題が解決するための手段】
上記目的を達成するため、本発明のレンズ芯出しクランプ装置は、同一軸上で互いに対向して配設され、レンズの両面に当接自在である一対のレンズ保持具と、一方のレンズ保持具を他方のレンズ保持具に向かって進退移動させるための軸方向駆動手段と、前記一対のレンズ保持具の間に前記レンズを挟持するためのレンズ挟持力を発生させる加圧手段と、両レンズ保持具の間に前記レンズを低圧挟持してレンズ芯出しを行うために前記加圧手段を低圧制御自在である加圧制御手段と、前記軸方向駆動手段による前記一方のレンズ保持具の移動速度を制御するための速度制御手段とを備えており、前記軸方向駆動手段による前進ストロークの途中で、前記一方のレンズ保持具の移動速度を前記速度制御手段によって低減するように構成されていることを特徴とする。
【００２６】
加圧制御手段が、レンズ芯出し時のレンズ挟持力を略３５Ｎ以下の低圧に制御するとよい。
【００２７】
加圧制御手段が、レンズ芯出し終了後に、レンズ挟持力を略２００Ｎ以上の高圧に切り換えるとよい。
【００２８】
一方のレンズ保持具を芯出し位置から後退させる後退ストロークでは、軸方向駆動手段による移動速度を任意の高速に設定自在であるとよい。
【００２９】
前進ストロークの途中で一方のレンズ保持具の移動速度を低減する位置を前記前進ストロークの任意のポイントに設定自在であるとよい。
【００３０】
前進ストロークにおいて、レンズを挟持するときの一方のレンズ保持具の移動速度を５ｍｍ／ｓｅｃ以下に低減するとよい。
【００３１】
加圧手段が、両レンズ保持具と同一軸上で一方のレンズ保持具を加圧し、レンズ挟持力を発生するように構成されているとよい。
【００３２】
本発明のレンズ芯取り機は、前記レンズ芯出しクランプ装置と、前記レンズ芯出しクランプ装置によって保持されたレンズの外周部を研削する研削手段を有することを特徴とする。
【００３３】
【作用】
上記装置において、低速、低圧の自動クランプによってレンズ芯出しを行うに当り、まず加圧手段を制御する加圧制御手段により、レンズ形状に応じてレンズ芯出し時のレンズ挟持力が略３５Ｎ以下の最適値になるように設定する。そして、一方のレンズ保持具を軸方向駆動手段によって前進させる前進ストロークにおいて、クランプ位置手前のできるだけクランプ位置に近い任意のポイントまで前記レンズ保持具を高速で前進させる高速度クランプと、それ以降の、レンズ保持具をクランプ位置まで前進させレンズに接触させるときの前記レンズ保持具の移動速度を、例えば５ｍｍ／ｓｅｃ以下のレンズに応じた最適な任意の低速度に設定した低速度クランプとを、速度制御手段によってタイミングよく切り換える。
【００３４】
このように、軸方向駆動手段と加圧手段の動作をそれぞれ、速度制御手段および加圧制御手段によって個別にタイミングよく制御することにより、当初はクランプ位置に近い速度切換位置まで高速でレンズ保持具を前進させる一方、その切換位置を過ぎたら低速に切り換えてゆっくり前進させてレンズ保持具をレンズに当接し、低圧のクランプ力（レンズ挟持力）によるレンズの芯出しを行う。
【００３５】
自動クランプによるレンズ芯出しのための最適な低速度、低圧にそれぞれ自在に調節することができるため、レンズ芯出し工程においてレンズ保持具の接触によってレンズにキズが生じる等のトラブルを防ぎ、高精度で信頼性の高い芯出しが可能である。
【００３６】
加えて、レンズのクランプ、芯出しまでのサイクルタイムを短縮し、加工効率を大幅に向上できる。
【００３７】
【発明の実施の形態】
本発明の実施の形態を図面に基づいて説明する。
【００３８】
図１は、一実施の形態によるレンズ芯取り機のレンズ芯出しクランプ装置を示すもので、一対のレンズ保持具であるベルホルダ１、２をそれぞれ保持するレンズ軸１１と可動軸２１が、それぞれ軸受１２、２２に回転自在に支持され、かつ同一軸線上にそれぞれの回転中心軸を一致させたうえで対向して配設されている。
【００３９】
レンズ軸１１は、その中心に中空部１１ａを設けニップル１１ｂによって図示しない真空源に接続され、レンズ軸１１側に取り付けられたベルホルダ１のレンズ当接部１ａにレンズＲ１を吸着保持するための真空吸着力を発生させる。可動軸２１は、レンズ軸１１側へ接近したり反対側へ離反したりできるように軸方向に移動自在に構成されている。レンズ軸１１と可動軸２１の対向する側の端部には、レンズＲ１をクランプして芯出しを行うためのレンズ保持側に開いて先端のレンズ当接部１ａ、２ａをエッジ状に成型したカップ状のベルホルダ１、２をそれぞれ取り付け、反対側には、レンズ軸回転ギア４１と可動軸回転ギア４２をそれぞれ設けてある。
【００４０】
両ベルホルダ１、２を回転させる第一回転駆動部３は、モータ３０の駆動を電磁クラッチ３０ａの作動により、レンズ軸側ベルホルダ１のレンズ軸１１に伝達する回転軸３４を介して、レンズ軸伝達ギア３５およびレンズ軸回転ギア４１と、可動軸側ベルホルダ２の可動軸２１に伝達する可動軸伝達ギア３３および可動軸回転ギア４２に連結自在になっている。第一回転駆動部３で各ベルホルダ１、２を低速回転で任意に制御され、図示しない研削手段である砥石によりレンズＲ１を芯取り加工される。
【００４１】
両ベルホルダ１、２を回転させる第二回転駆動部７は、モータ７０の駆動を電磁クラッチ７０ａの作動により、レンズ軸側ベルホルダ１のレンズ軸１１に伝達するレンズ軸伝達ギア３５およびレンズ軸回転ギア４１と、回転軸３４を介して可動軸側ベルホルダ２の可動軸２１に伝達する可動軸伝達ギア３３および可動軸回転ギア４２に連結自在である。第二回転駆動部７により各ベルホルダ１、２を高速回転で任意に制御され、高速回転によるレンズの自動芯出し（自動クランプ）を行う。
【００４２】
レンズ軸１１と可動軸２１は、同一軸線上にそれぞれの回転中心軸を一致させた上で対向しながら回転自在に配設されている。レンズ軸１１側へ接近したり反対側へ離反したりできるように軸方向に移動自在に構成されている可動軸２１は、レンズ軸１１と対向しレンズＲ１をクランプするためのベルホルダ２が取り付けられている側と反対側の先端に、可動軸２１の回転中心軸と一致した軸線上に中心軸を合わせて可動軸駆動部５の加圧手段であるシリンダー５０を、シリンダー５０のロッド５２の突出、後退動を可動軸２１に伝える連結棒５３を介して配設されている。
【００４３】
そしてレンズ挟持力であるクランプ力を加えるためには、可動軸側ベルホルダ２への加圧力として、シリンダー５０の両端に設けられた流体の給排気孔５１ａ、５１ｂに接続された図示していない流体配管および、加圧方向切換弁によりシリンダー５０に流体圧が供給される。この時の流体圧力は、図示していない加圧制御手段である低圧、高圧切換弁および、それぞれの圧力が調整できる調整設定機構により調整・切り換え可能としてある。
【００４４】
そして、クランプ芯出し時、加工時のそれそれの必要流体圧力に設定できるようにしてあり、レンズＲ１をクランプする時は、設定圧力に応じたクランプ力で中心軸方向からベルホルダ２を介してレンズＲ１に加えられるが、この芯出し工程は、流体圧力を調整設定機構により低圧に設定した低圧レギュレータと低圧切換弁により作動し、芯取り加工時には、流体圧力を調整設定機構により高圧に設定した高圧レギュレータと高圧切換弁の作動により、レンズＲ１を強硬に保持できる構造となっている。
【００４５】
可動軸２１の軸心上に配設された前記シリンダー５０の端部には、シリンダー５０を移動させる移動伝達部材５４が固設されている。移動伝達部材５４は、さらに前記軸心に平行に合わせた軸心に一致させて、図示していない装置本体に固設された固定枠５６に配設した高精度なボールネジ５７と結合され、またボールネジ５７は、これとともに軸方向駆動手段を構成するパルスモータ等の駆動モータ６０と連結され、駆動モータ６０は前記固定枠５６に支持されている。
【００４６】
駆動モータ６０を駆動させるとこれに連結されたボールネジ５７が回転し、ボールネジ５７に結合された移動伝達部材５４がボールネジ５７の回転運動に導かれて軸方向に移動する。すなわち、移動伝達部材５４に固設されたシリンダー５０とそれに繋がる可動軸２１およびベルホルダ２が一体となって、同一軸線上を軸方向にレンズ軸１１およびベルホルダ１に対して接近、離反の進退移動をさせることができる。
【００４７】
この時の摺動抵抗を低減させるために、可動軸２１に接触状に付いて粉塵や加工液等の異物の進入を防止するためのシール２３の取り付け数を減らしたり、フッ素樹脂系等に材質を換えて滑り抵抗を小さくする。
【００４８】
このようなシリンダー５０と駆動モータ６０の駆動によって、レンズＲ１をベルホルダ１、２の間でクランプすることができる。
【００４９】
可動軸２１等の軸方向移動の動作の制御は、前記駆動モータ６０をＮＣ等の方法で制御するための速度制御手段である制御装置６１により、可動軸側ベルホルダ２の軸方向前進の前進端停止位置や、前進ストロークにおける１箇所以上のクランプ速度切換位置を任意に選定させるとともに、クランプ速度切換位置を境とした各移動領域の移動速度を、低速から高速まで任意に設定できる。
【００５０】
さらに制御装置６１は、駆動モータ６０がパルスモータの場合は、可動軸側ベルホルダ２がレンズ軸１１より離反した後退位置を原点とし、その位置からレンズ軸１１側へ軸方向に前進させると、駆動モータ６０の回転数やパルス数からベルホルダ２の現在位置や移動速度として検出し、前記設定値と対比しながら設定値に沿うかたちで制御、駆動できる構成としている。レンズ軸１１側から離れる後退時も同様である。なお、この移動速度および位置設定検出手段を、サーボモータと測長用のマグネスケールに換えて行うことも可能である。
【００５１】
次に上記構成のレンズ芯取り機のレンズ芯出しクランプ装置でレンズをクランプする動作を説明する。まずレンズＲ１をレンズ軸１１のベルホルダ１に吸着して保持し、手動にて可動軸２１をレンズ軸１１側に軸方向に低速で前進させて、可動軸側ベルホルダ２をレンズＲ１に当接させ、その時のベルホルダ２の前進端位置を検出手段で確認する（この位置がクランプ位置）。
【００５２】
次に、ベルホルダ２を後退させて後退端の原点位置まで戻す。そして制御装置６１において、ベルホルダ２の前進端位置を、レンズＲ１にクランプ力が掛かるように、クランプ位置より若干レンズ軸１１側寄りの位置に設定し、次にレンズＲ１との接触時の低速度クランプの移動距離を、支障の無い範囲のできるだけ短い距離になるように、クランプ位置より若干可動軸２１側寄りの位置に設定する。そしてベルホルダ２の前進ストロークにおいて原点位置寄りの第一領域（高速度クランプ）の速度を高速に設定し、次に第二領域（低速度クランプ）でレンズＲ１に接触させる時の速度を、レンズ形状や材質等を考慮し品質トラブルが起きないレベルの低速に設定する。また加工終了後ベルホルダ２を原点位置まで後退させるときの速度も任意の高速に設定する。
【００５３】
以上一連の調整設定について、コンピュータ等演算記憶装置により加工するレンズ形状や材質、サイクルタイム等の必要情報を入力すれば、自動的に設定できる手段もある。
【００５４】
そして、芯出し工程で品質に支障の出ない範囲で必要充分なクランプ力を得るために、低圧レギュレータ側の調整設定機構により低圧のシリンダー圧を設定し、かつ、芯取り加工時に必要充分な高圧のクランプ力になるために高圧レギュレータ側の調整設定機構により高圧のシリンダー圧を設定する。
【００５５】
次に、芯取り加工をするレンズＲ１をレンズ軸側ベルホルダ１に吸着保持する。レンズ軸１１および可動軸２１を第一回転駆動部３とそれと連動する各伝達ギアを介して同一に低速回転させ、同時に前記設定した低圧でシリンダー５０を図１に示すようにレンズ軸１１側に軸方向にロッド５２を押す状態にする。そして駆動モータ６０を前記設定値に沿った制御で駆動させる。
【００５６】
その動きを図３の模式図に沿って説明する。原点位置からクランプ直前の速度切換位置までは、高速で可動軸側ベルホルダ２を前進させ、速度切換位置を検出手段で検出したら前進速度を５ｍｍ／ｓｅｃ以下の低速に切り換えてゆっくりと前進させる。すると可動軸側ベルホルダ２は、回転しながらレンズＲ１に徐々に当接していく。そして、さらに可動軸２１をレンズ軸側に前進端位置まで前進させると、ベルホルダ２はレンズＲ１を挟持した状態で停止するが可動軸駆動部５が動いた分、図２に示すように、シリンダー５０のロッド５２が押し戻された状態となり、レンズＲ１に略３５Ｎ以下の低レベルのクランプ力が付与される。そして、レンズ軸側ベルホルダ１と可動軸側ベルホルダ２との間にレンズＲ１を挟持する際に、レンズＲ１がその球面に沿って滑って両ベルホルダの回転中心軸とレンズ光軸とが一致する作用を利用してレンズＲ１の芯出しを行う。
【００５７】
次に、芯の出たレンズＲ１が加工でずれないように、シリンダー５０の流体圧力を高圧切換弁の作動により、高圧に切り換えてクランプ力を２００Ｎ以上の高いレベルに強化した状態でレンズを強固に保持し、砥石で芯取り加工を行う。
【００５８】
芯取り加工が終了したら、可動軸側ベルホルダ２をレンズＲ１から離れる軸方向に任意の高速で後退させ原点位置に戻してレンズの芯取り加工が終了する。
【００５９】
この一連のクランプ動作で、可動軸２１の進退動作とシリンダー５０への流体の給排および圧力切換は連動するように制御される。すなわち、図３の別枠内に示すように、前進クランプ：低圧給気→加工時：高圧給気→加工終了後退：逆圧排気→待機時：低圧給気の順で作動する。
【００６０】
【発明の効果】
本発明は上述のとおり構成されているので、以下に記載するような効果を奏する。
【００６１】
レンズ芯取り機のレンズ芯出しクランプ装置において、クランプ力および、レンズとベルホルダとの接触時のクランプ速度を個別にそれぞれ低減調整する２つの制御手段を設けることで、レンズ形状等に応じた適切なクランプ作用でレンズ芯出しを行うことができる。
【００６２】
また、可動軸側ベルホルダの軸方向移動における前進ストロークにおいて、任意の位置を境に２段階以上の異なるクランプ速度に設定できる構成にすることで、クランプ位置に近い速度切換位置までは高速でベルホルダを前進させ、その位置を過ぎたら低速に切り換えて、ゆっくり前進せることができる。
【００６３】
これにより、レンズの芯取り加工精度の向上と、製品としてのレンズ品質の向上と、クランプ、芯出しまでのサイクルタイムの短縮による加工効率の向上等に大きく貢献できる。
【図面の簡単な説明】
【図１】一実施の形態によるレンズ芯取り機のレンズ芯出しクランプ装置を示す模式図である。
【図２】図１の装置において、レンズがクランプされた状態を示す模式図である。
【図３】クランプ時の動きを説明する説明図である。
【図４】第１の従来例を示す模式図である。
【図５】第２の従来例を示す模式図である。
【図６】第３の従来例を示す模式図である。
【符号の説明】
Ｒ１    レンズ
１    レンズ軸側ベルホルダ
２    可動軸側ベルホルダ
３    第一回転駆動部
５    可動軸駆動部
７    第二回転駆動部
１１    レンズ軸
１１ａ    中空部
１１ｂ    ニップル
１２、２２    軸受
２１    可動軸
２３    シール
３０、７０    モータ
３１、７１    モータ軸ギア
３２、７２    モータ軸伝達ギア
３３    可動軸伝達ギア
３４    回転軸
５０    シリンダー
５２    ロッド
５３    連結棒
５４    移動伝達部材
５７    ボールネジ
６０    駆動モータ
６１    制御装置
【図１】
2004181568.tif 000003
【図２】
2004181568.tif 000004
【図３】
2004181568.tif 000005
【図４】
2004181568.tif 000006
【図５】
2004181568.tif 000007
【図６】
2004181568.tif 000008